(57)【要約】      （修正有）【課題】改善されたクラウン構造、並びに、改善された可変フェース厚さプロフィールを含むメタルウッドゴルフクラブを提供する。【解決手段】ゴルフクラブヘッド１００はクラウンピークを有し、クラウンピーク１２８はゴルフクラブヘッド１００を規則通りのライおよびロフトで設置したときのクラウン１１２の外側表面の最も高い点として定義され、クラウンピーク１２８平面は地面平面と平行であり、クラウンピーク平面はクラウンピーク１２８を通り抜け、クラウン切断平面はクラウンピーク平面と平行であり、クラウン切断平面はクラウンピーク平面からｙ−軸に沿って地面平面の方向に５ｍｍ下方にずれており、上側クラウン部分はクラウン切断平面の上に位置し、クラウン切断平面およびクラウンの外側表面により画定され、上側クラウン部分の体積が２ｃｍ３より大きく、７ｃｍ３より小さい。【選択図】図１１
2016116842.tif 000002
【特許請求の範囲】
【請求項１】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であることを特徴とするメタルウッドゴルフクラブヘッド。
【請求項２】
上記クラウンピークは上記地面平面の６８ｍｍ未満だけ上方に位置づけられ、上記点Ｂと上記点Ｃとの間の上記スロープの上記絶対値は０．１２２以上であり、０．２９３以下であり、上記点Ｄと上記点Ｅとの間の上記スロープの上記絶対値は０．１０５以上であり、０．３７２以下である請求項１記載のゴルフクラブヘッド。
【請求項３】
上記点Ｂと上記点Ｃとの間の上記スロープの上記絶対値は０．１３３以上であり、０．２９３以下であり、上記点Ｄと上記点Ｅとの間の上記スロープの上記絶対値は０．１１４以上であり、０．３７２以下である請求項２記載のゴルフクラブヘッド。
【請求項４】
上記点Ｂと上記点Ｃとの間の上記スロープの上記絶対値は０．１２２以上であり、０．２６１以下であり、上記点Ｄと上記点Ｅとの間の上記スロープの上記絶対値は０．１０５以上であり、０．３３０以下である請求項２記載のゴルフクラブヘッド。
【請求項５】
上記点Ａと上記点Ｂとの間の上記スロープの上記絶対値は０．０２８以上であり，０．１９３以下であり、上記点Ａと上記点Ｄとの間の上記スロープの上記絶対値は０．０４６以上であり，０．１４８以下である請求項１記載のゴルフクラブヘッド。
【請求項６】
上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である請求項１記載のゴルフクラブヘッド。
【請求項７】
上記打撃フェースの内側に可変フェース厚さプロフィールをさらに有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい請求項１記載のゴルフクラブヘッド。
【請求項８】
上記距離Ｄ３の上記距離Ｄ４に対する上記比が１．１より大きく１．５より小さい請求項１記載のゴルフクラブヘッド。
【請求項９】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さいことを特徴とするメタルウッドゴルフクラブヘッド。
【請求項１０】
上記上側クラウン部分の体積が２ｃｍ３より大きく、７ｃｍ３より小さいことを特徴とするゴルフクラブヘッド。
【請求項１１】
上記上側クラウン部分の体積が３ｃｍ３より大きく、６ｃｍ３より小さい請求項１０記載のゴルフクラブヘッド。
【請求項１２】
上記上側クラウン部分の体積が３ｃｍ３より大きく、５ｃｍ３より小さい請求項１１記載のゴルフクラブヘッド。
【請求項１３】
上記上側クラウン部分の体積が３ｃｍ３より大きく、４ｃｍ３より小さい請求項１２記載のゴルフクラブヘッド。
【請求項１４】
上記打撃フェースの内側に可変フェース厚さプロフィールをさらに有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい請求項９記載のゴルフクラブヘッド。
【請求項１５】
上記距離Ｄ３の上記距離Ｄ４に対する上記比が１．１より大きく１．５より小さい請求項１４記載のゴルフクラブヘッド。
【請求項１６】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であり、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さく、
上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きく、
上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合されることを特徴とするメタルウッドゴルフクラブヘッド。
【請求項１７】
上記上側クラウン部分の体積が３ｃｍ３より大きく、５ｃｍ３より小さく、上記ゴルフクラブヘッドのクラウンピーク奥行きが少なくとも２６ｍｍであり、上記クラウンピーク奥行きは上記ゴルフクラブヘッドの最も前方の部分から上記クラウンピークへ上記ｚ−軸と平行な軸に沿って測定されたものである請求項１６記載のゴルフクラブヘッド。
【請求項１８】
上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である請求項１６記載のゴルフクラブヘッド。
【請求項１９】
上記距離Ｄ３の上記距離Ｄ４に対する上記比が１．１より大きく１．５より小さい請求項１６記載のゴルフクラブヘッド。
【請求項２０】
上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合される請求項１６記載のゴルフクラブヘッド。
【発明の詳細な説明】
【技術分野】
【０００１】
この技術は全般的にはゴルフクラブに関連するシステム、装置、および方法に関し、より具体的には、改善されたクラウン構造、並びに、改善された可変フェース厚さプロフィールを含むメタルウッドゴルフクラブに関する。
【背景技術】
【０００２】
ゴルフクラブデザインの競争的な業界において、距離および精度は、メタルウッドタイプのゴルフクラブの要求度を図るのに役立つ最も重要な性能ファクタのうちの２つである。ある者は、ゴルフクラブの見た目、フィーリング、サウンドがゴルフクラブの評価に影響を与えるかもしれないと主張するけれども、性能ファクタがゴルフクラブの要求度の判定に大きな役割を有することを主張することがない。距離を最大化しながら精度を維持する性能ファクタはメタルウッドタイプのゴルフクラブヘッドにおいてさらにより重要になってきている。任意の個々のゴルフクラブにより達成される距離の有益さよりゴルフショットの精度が明らかに優先するアイアンタイプのゴルフクラブヘッドと違って、メタルウッドタイプのゴルフクラブヘッドはゴルファができるだけ遠くに、かつできるだけ真っ直ぐゴルフボールを打撃できるように設計される。
【０００３】
メタルウッドタイプのゴルフクラブヘッドの距離を最大化し、それでいて精度の維持するために、メタルウッドタイプのゴルフクラブヘッドは、ゴルフクラブヘッドにより当該ゴルフクラブヘッドの幾何中心の近くで打撃してゴルフボールの距離を最大化させる目的を持って設計されてきた。ゴルフクラブヘッドのこの幾何中心は、固有の物理法則に従って、一般に、ゴルフボールおよびゴルフクラブヘッドの間のエネルギー損失を小さくして距離を最大化させるゴルフショットを実現できる。この値を定量化するために、合衆国ゴルフ協会（ＵＳＧＡ）は、ゴルフ業界と協同して、ゴルフクラブヘッドと衝突した後のゴルフボールのリバウンド特性を定量化する手法として、反発係数（ＣＯＲ）の計算や、特徴時間（ＣＴ）の計算の種々の方法を提供してきた。
【０００４】
米国特許第６，３９０，９３３号明細書（Ｇａｌｌｏｗａｙ、「'９３３特許」）は、０．８４５を超える反発係数を有し、１時間あたり１１０マイルのゴルフボールで２０００回の衝撃に耐える耐久性を有するゴルフクラブヘッドを開示して、ゴルフクラブヘッドのＣＯＲを増大させる一手法を検討しており、ここでクラブヘッドは３つの部品、フェース、ソール、およびクラウンから構成されて良い。より具体的には、'９３３特許は、チタン材料から構成されて良く、その容積が１７５立方ｃｍから４００立方ｃｍの範囲であり、重量が１６５グラムから３００グラムの範囲であり、打撃プレート面積が４．００平方インチから７．５０平方インチの範囲であるゴルフクラブヘッドを開示する。
【０００５】
距離に替えて精度を追求するものとしては、米国特許出願公開第２００４／０１１６２０２号（Ｌｉｎ、「'２０２特許出願公開」）が、複数の穴をクラブヘッドの周囲に具備してクラブヘッドがゴルフボールを打撃したときにほとんどの振動波、および音響波がこれら穴から消散されて打撃ゴルフボールの方向の精度を改善するようにしたゴルフクラブヘッドを開示することにより、ゴルフクラブヘッドの精度を向上させる方法を検討している。
【０００６】
しかしながら、良く検証すると、メタルウッドタイプのゴルフクラブヘッドの精度を維持しつつ距離を最大化させる開発は、ゴルファがスイートスポットでゴルフボールを打撃できるということを前提にしている。平均的なゴルファはスイートスポットにゴルフボールを一貫して打撃することは困難であろう。したがって、上述の性能ファクタに加えて、スイートスポットのサイズおよび位置を最適化して、平均的なゴルファが、ゴルフクラブヘッドの距離および精度のデザイン上の利点を利用できるようにすることも望まれるであろう。
【先行技術文献】
【特許文献】
【０００７】
【特許文献１】米国特許第６，３９０，９３３号明細書
【特許文献２】米国特許出願公開第２００４／０１１６２０２号明細書
【発明の概要】
【０００８】
ここで説明されるシステム、方法、および装置は、いくつかの独創的な側面を有し、それらの好ましい特性を実現する上で、それら側面のいずれか１つが不可欠であるとか、唯一有益であるということはない。特許請求の範囲を制約することなく、有益な特徴が以下に要約される。
【０００９】
この技術の１側面は、慣用的なゴルフクラブは、芯からはずれた打撃に対して良好に働くことがないという認識である。したがって、改善されたゴルフクラブヘッド構造に対する要請がある。この技術はメタルウッドゴルフクラブに向けられている。この発明はボール速度増進特徴を実現し、これは、例えば、局所的に隆起したクラウンピーク、および、ソールにバイアスされた可変フェース厚さプロフィールを含み、これはゴルフクラブヘッドの芯ずれの性能を改善する。この結果、ゴルファは、打撃フェースの幾何中心以外のフェース部分でゴルフボールを打撃することができ、依然として所望の距離を実現できる。
【００１０】
この技術の１つの比制約的な実施例はメタルウッドゴルフクラブを含み、このゴルフクラブは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が：上記クラウンピークに位置づけられる点Ａと；上記ｘ−軸に平行な軸に沿って上記点Ａから１０ｍｍだけヒール側に位置づけられる点Ｂと；上記ｘ−軸に平行な軸に沿って上記点Ａから２０ｍｍだけヒール側に位置づけられる点Ｃと；上記ｘ−軸に平行な軸に沿って上記点Ａから１０ｍｍだけトウ側に位置づけられる点Ｄと；上記ｘ−軸に平行な軸に沿って上記点Ａから２０ｍｍだけトウ側に位置づけられる点Ｅとを有し；上記点Ｂと上記点Ｃとの間のスロープの絶対値が０．１１７以上であり、かつ０．３１０以下であり；上記点Ｄと上記点Ｅとの間のスロープの絶対値が０．１００以上であり、かつ０．３９２以下である。
【００１１】
この技術の付加的な非制約的な実施例において、上記クラウンピークは上記地面平面の６８ｍｍ未満だけ上方に位置づけられ、上記点Ｂと上記点Ｃとの間の上記スロープの上記絶対値は０．１２２以上であり、０．２９３以下であり、上記点Ｄと上記点Ｅとの間の上記スロープの上記絶対値は０．１０５以上であり、０．３７２以下である。
【００１２】
この技術の付加的な非制約的な実施例において、上記点Ｂと上記点Ｃとの間の上記スロープの上記絶対値は０．１３３以上であり、０．２９３以下であり、上記点Ｄと上記点Ｅとの間の上記スロープの上記絶対値は０．１１４以上であり、０．３７２以下である。
【００１３】
この技術の付加的な非制約的な実施例において、上記点Ｂと上記点Ｃとの間の上記スロープの上記絶対値は０．１２２以上であり、０．２６１以下であり、上記点Ｄと上記点Ｅとの間の上記スロープの上記絶対値は０．１０５以上であり、０．３３０以下である。
【００１４】
この技術の付加的な非制約的な実施例において、上記点Ａと上記点Ｂとの間の上記スロープの上記絶対値は０．０２８以上であり，０．１９３以下であり、上記点Ａと上記点Ｄとの間の上記スロープの上記絶対値は０．０４６以上であり，０．１４８以下である。
【００１５】
この技術の付加的な非制約的な実施例において、上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である。
【００１６】
この技術の付加的な非制約的な実施例は、上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい。
【００１７】
この技術の付加的な非制約的な実施例において、上記距離Ｄ３の上記距離Ｄ４に対する上記比が１．１より大きく１．５より小さい。
【００１８】
この技術の付加的な非制約的な実施例はメタルウッドゴルフクラブヘッドを含み、このメタルウッドゴルフクラブヘッドは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；クラウンピーク平面は上記地面平面と平行であり、上記クラウンピーク平面は上記クラウンピークを通り抜け；クラウン切断平面は上記クラウンピーク平面と平行であり、上記クラウン切断平面は上記クラウンピーク平面から上記ｙ−軸に沿って上記地面平面の方向に５ｍｍ下方にずれており；上側クラウン部分は上記クラウン切断平面の上に位置し、上記クラウン切断平面および上記クラウンの上記外側表面により画定され；上記上側クラウン部分の体積が２ｃｍ３より大きく、７ｃｍ３より小さい。
【００１９】
この技術の付加的な非制約的な実施例において、上記上側クラウン部分の体積が２ｃｍ３より大きく、７ｃｍ３より小さい。
【００２０】
この技術の付加的な非制約的な実施例において、上記上側クラウン部分の体積が３ｃｍ３より大きく、６ｃｍ３より小さい。
【００２１】
この技術の付加的な非制約的な実施例において、上記上側クラウン部分の体積が３ｃｍ３より大きく、５ｃｍ３より小さい。
【００２２】
この技術の付加的な非制約的な実施例において、上記上側クラウン部分の体積が３ｃｍ３より大きく、４ｃｍ３より小さい。
【００２３】
この技術の付加的な非制約的な実施例は上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい。
【００２４】
この技術の付加的な非制約的な実施例において、上記距離Ｄ３の上記距離Ｄ４に対する上記比が１．１より大きく１．５より小さい。
【００２５】
この技術の付加的な非制約的な実施例はメタルウッドゴルフクラブヘッドを含み、このメタルウッドゴルフクラブヘッドは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が：上記クラウンピークに位置づけられる点Ａと；上記ｘ−軸に平行な軸に沿って上記点Ａから１０ｍｍだけヒール側に位置づけられる点Ｂと；上記ｘ−軸に平行な軸に沿って上記点Ａから２０ｍｍだけヒール側に位置づけられる点Ｃと；上記ｘ−軸に平行な軸に沿って上記点Ａから１０ｍｍだけトウ側に位置づけられる点Ｄと；上記ｘ−軸に平行な軸に沿って上記点Ａから２０ｍｍだけトウ側に位置づけられる点Ｅとを有し；上記点Ｂと上記点Ｃとの間のスロープの絶対値が０．１１７以上であり、かつ０．３１０以下であり；上記点Ｄと上記点Ｅとの間のスロープの絶対値が０．１００以上であり、かつ０．３９２以下であり；クラウンピーク平面は上記地面平面と平行であり、上記クラウンピーク平面は上記クラウンピークを通り抜け；クラウン切断平面は上記クラウンピーク平面と平行であり、上記クラウン切断平面は上記クラウンピーク平面から上記ｙ−軸に沿って上記地面平面の方向に５ｍｍ下方にずれており；上側クラウン部分は上記クラウン切断平面の上に位置し、上記クラウン切断平面および上記クラウンの上記外側表面により画定され；上記上側クラウン部分の体積が２ｃｍ３より大きく、７ｃｍ３より小さく；上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きく；上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合される。
【００２６】
この技術の付加的な非制約的な実施例において、上記上側クラウン部分の体積が３ｃｍ３より大きく、５ｃｍ３より小さく、上記ゴルフクラブヘッドのクラウンピーク奥行きが少なくとも２６ｍｍであり、上記クラウンピーク奥行きは上記ゴルフクラブヘッドの最も前方の部分から上記クラウンピークへ上記ｚ−軸と平行な軸に沿って測定されたものである。
【００２７】
この技術の付加的な非制約的な実施例において、上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である。
【００２８】
この技術の付加的な非制約的な実施例において、上記距離Ｄ３の上記距離Ｄ４に対する上記比が１．１より大きく１．５より小さい。
【００２９】
この技術の付加的な非制約的な実施例において、上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合される。
【００３０】
添付図面は明細書の一部を構成し、明細書との関連において理解されなければならない。しかしながら、図説の実施例は、単に例であり、限定することを意図していない。種々の図における類似の参照番号および表示は類似の部分を示す。
【図面の簡単な説明】
【００３１】
【図１】ゴルフクラブヘッドの１実施例の斜視図を示す図である。
【図２】図１のゴルフクラブヘッドの正面図を示す。
【図３】図１のゴルフクラブヘッドのトウ側の側面図を示す。
【図４】図１〜図３のゴルフクラブヘッドのＡ−Ａ断面図を示す。
【図５】図１〜図３のゴルフクラブヘッドのＢ−Ｂ断面図を示す。
【図６】図５のＢ−Ｂ断面図を示し、断面図が切断した表面を含むけれど、ウエイトポートのような内部形状は含まない。
【図７】図６のＢ−Ｂ断面図を模したものである。
【図８】図１〜図３のゴルフクラブヘッドのＣ−Ｃ断面図を示す。
【図９】図１〜図３のゴルフクラブヘッドのＤ−Ｄ断面図を示す。
【図１０】図９のＤ−Ｄ断面図を示し、断面図が切断した表面を含むけれど、ホーゼルや屈曲部のような内部形状は含まない。
【図１１】ゴルフクラブヘッドの１実施例の斜視図を示す図である。
【図１２】図１１のゴルフクラブヘッドの正面図を示す。
【図１３】図１１および図１２のゴルフクラブヘッドのＥ−Ｅ断面図を示す。
【発明を実施するための形態】
【００３２】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この発明の特徴の変更例および他の修正、並びに、ここで説明される、この発明の原理をさらなる応用は、この開示内容を元に当業者にもたらされ、この発明の範囲内であると考えられる。
【００３３】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３４】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３５】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ」）は２またはそれ以上の事項を含む。用語「実質的」（「ｓｕｂｓｔａｎｔｉａｌｌｙ」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ」）は２またはそれ以上の代替物から１つを選択することを意味し、それらリストされた要素の選択が一時にそれらリストさレア代替物のうちの唯一の１つに限定されることを意図しない。
【００３６】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００３７】
ここで説明される実施例は全般的にはゴルフクラブヘッドに関連する、システム、装置、および方法に関する。より具体的には、いくつかの実施例は、改善されたクラウン構造を、改善された可変フェース厚さプロフィールを含むメタルウッドゴルフクラブに関する。
【００３８】
図１は、ゴルフクラブヘッド１００の１実施例の斜視図を示す。図２は、図１のゴルフクラブヘッド１００の正面図を示す。図３は、図１のゴルフクラブヘッドのトウ側の側面図を示す。図１〜図３に示されるゴルフクラブヘッド１００は、打撃フェース１０６、後方本体部分１０２、およびホーゼル１０４を具備する。打撃フェース１０６は、ゴルフクラブヘッド１００の前面に位置決めされ、ゴルフクラブがスイングされたときに、ゴルフボールと衝突するように構成されている。ホーゼル１０４は、シャフトに一部を収容するように構成されたシャフト穴を含んで良い。ホーゼル１０４は一般的にはゴルフクラブヘッドのヒール側１０８に位置決めされ、これはトウ側１１０と逆である。後方本体部分１０２は、クラウン１１２、ソール１１４、およびスカート１１６を有して良い。クラウン１１２の部分は、一般的には打撃フェース１０６の上方部分に結合されて良く、他方、ソール１１４は一般的には打撃フェース１０６の底部分に結合されて良い。スカート１１６はクラウン１１２およびソール１１４の間に配されて後方本体部分１０２を完成させて良い。図２および図３は、ゴルフクラブヘッドの規則どおりのライおよびロフトで地面平面２００に配置されたゴルフクラブヘッド１００を示す。
【００３９】
図１〜図３に示すように、ゴルフクラブヘッド１００は、一般的には、打撃フェース１０６を少なくとも部分的に包囲する、ラディアス化された（「ｒａｄｉｕｓｅｄ」、アールが付された）遷移領域１１８を具備して良い。より具体的には、アールが付された遷移領域１１８は、さらに、打撃フェース１０６の上方境界に位置決めされ、実質的に打撃フェース１０６およびクラウン１１２を連結する、クラウン・フェース遷移領域１２０と、打撃フェース１０６の底側境界に位置決めされ、実質的に打撃フェース１０６およびソール１２２を連結する、ソール・フェース遷移領域１２２とを有する。他の実施例において、アールの付された遷移領域１１８は打撃フェース１０６の境界を完全に包囲して良い。ゴルフクラブヘッド１００は、図３に示すように、屈曲部１２４を含んでも良い。屈曲部１２４のいくつかの例は、本出願人の出願に係る、屈曲部を具備するゴルフクラブという名称で２０１３年１１月２５日に提出された米国特許出願第１４／０８９，５７４号（Ｇｏｌｄｅｎ等）に見いだすことができ、その内容は参照してここに組み入れる。
【００４０】
図２および図３に示すように、ゴルフクラブヘッド１００は、座標系を含んで良い。座標系は、地面平面２００と平行で、打撃フェース１０６と実質的に平行で、ゴルフクラブヘッド１００のヒール側に伸びる、ｘ−軸を含んで良い。座標系は、ｘ−軸および地面平面と直角でクラウン１２８へと伸びる、ｙ−軸を含む。座標系は、ｘ−軸およびｙ−軸と直角で、地面平面２００と平行で、打撃フェース１０６に向かう、ｚ−軸を含む。
【００４１】
ゴルフクラブヘッド１００の種々の特徴は、ゴルフクラブヘッド１００の性能特徴に影響を与え、これは、例えば、打撃フェース１０６状の種々の点における衝突後のボール速度、打撃フェース１０６のスイートスポットのサイズ、衝突後のゴルフボールのバックスピン、その他を含む。一般的には、スイートスポットのサイズ、すなわち、衝突時に最大量のエネルギーをゴルフボールに伝達する打撃フェースの部分のサイズを最大化することがゴルフクラブデザイナのゴールである。ここで説明されるゴルフクラブヘッド１００の１つの利点は、クラウン１１２の特異な構造によって実現される性能特徴の改善である。ここで検討され図に示される特異な構造は、伝統的なクラウンに較べて局所的に上昇させられたクラウンピーク１２８である。この特異なクラウン構造は、ここで示すように、ドライバに組み込まれて良いけれども、フェアウェイやハイブリッドにも組み込まれて良い。
【００４２】
試験期間には、しばしば、衝突後のボール速度は幾何中心に加えて打撃フェース１０６の種々の点で測定される。打撃フェース１０６の幾何中心は、ゴルフクラブヘッドの柔軟性を測定する手順、ＵＳＧＡ−ＴＰＸ３００４、改訂版１．０．０、２００８年５月１日、合衆国ゴルフ協会に概説される衝突位置テンプレートにより毛一定される衝突位置の中心によって定義される。打撃フェースの１つのそのような部分は、幾何フェース中心より０．２５インチ上の位置として定義される高中心であって良い。ここで説明される特異なクラウン構造を含むゴルフクラブヘッド１００の１実施例は、特異な構造を含まない同一のドライバと較べて、高中心において、約０．３％の付加的なボール速度を実現する。ただし、幾何フェース中心における最も大きな実現可能なボール速度はすべて合衆国ゴルフ境界で許容されたものに維持される。さらに、この特異なクラウン構造を含むゴルフクラブヘッド１００は、幾何フェース中心のボール速度の９９．５６％の範囲内の高中心ボール速度を実現した。これに対し、特異なクラウン構造を伴わない同一のドライバは、幾何フェース中心のボール速度の９９．２８％の範囲の高中心ボール速度を実現するだけであった。いつつかの実施例において、これらの性能改善は、ここで説明される特異なクラウン構造に起因して、ゴルフクラブヘッド１００の打撃フェース１０６における幾何フェース中心より上の点の柔軟性が付加された結果であって良い。中心からずれた位置、高中心のような位置のボール速度の増加の重要性は、芯からずれた打撃に対しても距離増大を許容するという点である。ゴルファが幾何フェース中心で正確にボールを打撃しなくても、ボールは、幾何中心で打撃した場合とほとんど同じ程度に遠くに移動する。
【００４３】
図４は、図１〜図３のゴルフクラブヘッド１００のＡ−Ａ断面図を示す。断面図Ａ−Ａはｙ−軸およびｚ−軸に平行で、クラウンピーク１２８を通る、平面に沿って切断された。クラウンピーク１２８は、ゴルフクラブヘッド１００を規則どおりのライおよびロフトで設置したときの、最も上方に位置づけられる、クラウン１１２の部分、クラウン１１２の最も高いｙ座標として定義される。図４に示されるクラウンピーク深さＣＰＤは、ゴルフクラブヘッド１００の最も前方の部分からクラウンピークまでの、ｚ−軸に平行な軸に沿う、距離である。いくつかの実施例において、クラウンピーク深さＣＰＤは２０ｍｍより大きくて良い。いくつかの実施例において、クラウンピーク深さＣＰＤは２２ｍｍより大きくて良い。いくつかの実施例において、クラウンピーク深さＣＰＤは２４ｍｍより大きくて良い。いくつかの実施例において、クラウンピーク深さＣＰＤは２６ｍｍより大きくて良い。いくつかの実施例において、クラウンピーク深さＣＰＤは２８ｍｍより大きくて良い。ゴルフクラブヘッド１００はゴルフクラブヘッド内部１２６を含む。ホーゼル１０４はゴルフクラブヘッド内部１２６中へと伸びて良い。ゴルフクラブヘッド１００は、図４に示すようにウエイトポート１２８を含んでも良く、これは交換可能ウエイト部材を収容してゴルフクラブのスイング重量および／またはＣＧ位置を変更するように構成される。
【００４４】
図５は、図１〜図３のゴルフクラブヘッド１００のＢ−Ｂ断面図を示す。断面図Ｂ−Ｂはｘ−軸およびｙ−軸に平行で、クラウンピーク１２８を通る、平面に沿って切断された。ゴルフクラブヘッド１００の構造をさらに単純化するために、図６は、図５のＢ−Ｂ断面図を示し、これは、断面図が断面される表面を含むけれども、ウエイトポート１２８のような内部幾何は含まない。図６は、クラウン１１２の外側表面１３０に沿って位置決めされる点Ａ〜Ｅをも示す。点Ａ〜Ｅはすべてｘ−軸およびｙ−軸に平行でクラウンピーク１２８を通り抜ける平面上に位置づけられる。点Ａは、クラウンピーク１２８に位置づけられる。点Ｂはｘ−軸に沿って点Ａからゴルフクラブヘッドのヒール側１０８に向かって距離ＡＢだけずれている。点Ｃはｘ−軸に沿って点Ａからゴルフクラブヘッドのヒール側１０８に向かって距離ＡＣだけずれている。点Ａは、クラウンピーク１２８に位置づけられる。点Ｄはｘ−軸に沿って点Ａからゴルフクラブヘッドのトウ側１１０に向かって距離ＡＤだけずれている。点Ｅはｘ−軸に沿って点Ａからゴルフクラブヘッドのトウ側１１０に向かって距離ＡＥだけずれている。点Ａ〜Ｅの各々は、ゴルフクラブヘッド１００を地面平面２００状に規則通りのライおよびロフトで設置させたときに、ｙ−軸に沿って測定して、地面平面上、距離ＨＡ，Ｂ，Ｃ，Ｄ，Ｅの位置に位置づけられる。点Ａは地面平面２００の上に距離ＨＡで位置決めされ、点Ｂは地面平面２００の上に距離ＨＢで位置決めされ、その他も同様である。ここで説明される特異なクラウン構造の幾何形状をより良く説明するためにいくつかの表が以下に含まれる。
【００４５】
以下の表１は、ここに説明されるゴルフクラブヘッド１００の１実施例のために点Ａ〜Ｅの間のオフセット距離を概説する。距離の値はミリメートル（ｍｍ）で測定される。表１に含まれる距離の値は明細書全体および後続する表で利用され、点Ａ〜Ｅの間のスロープおよび関係を定義する。
【表１】
2016116842.tif 000003
【００４６】
以下の表２は点Ａ〜Ｅの高さを概説して、ここで説明されるゴルフクラブ反吐尾の１実施例をさらに説明する。
【表２】
2016116842.tif 000004
【００４７】
いくつかの実施例において、ゴルフクラブヘッド１００は地面平面２００から６８ｍｍ未満に位置づけられるクラウンピーク１２８を含む。いくつかの実施例において、ゴルフクラブヘッド１００は地面平面２００から６６ｍｍ未満に位置づけられるクラウンピーク１２８を含む。
【００４８】
以下の表３は、種々の点Ａ〜Ｅの間のスロープを概説してここで説明されるゴルフクラブヘッド１００の１実施例をさらに説明する。例えば、点Ａおよび点Ｂの間のスロープは、点Ａおよび点Ｂの間の距離を点Ａおよび点Ｂの間のオフセット距離で割ることにより計算されるであろう。スロープの値の各々は計算されたスロープの値の絶対値である。したがって、ヒール側の点か、トウ側の点か、さらに、地面平面２００からかどうかは、スロープの値に影響しない。
【表３】
2016116842.tif 000005
【００４９】
以下の表４は、ゴルフクラブヘッド１００の実施例が属し得る点Ａ〜Ｅのスロープの範囲を説明する。
【表４】
2016116842.tif 000006
【００５０】
以下の表５は、ゴルフクラブヘッド１００の実施例が属し得る点Ａ〜Ｅのスロープの範囲を説明する。
【表５】
2016116842.tif 000007
【００５１】
以下の表６は、ゴルフクラブヘッド１００の実施例が属し得る点Ａ〜Ｅのスロープの範囲を説明する。
【表６】
2016116842.tif 000008
【００５２】
以下の表７は、ゴルフクラブヘッド１００の実施例が属し得る点Ａ〜Ｅのスロープの範囲を説明する。
【表７】
2016116842.tif 000009
【００５３】
以下の表８は、ゴルフクラブヘッド１００の実施例が属し得る点Ａ〜Ｅのスロープの範囲を説明する。
【表８】
2016116842.tif 000010
【００５４】
図７は図６の断面Ｂ−Ｂの複製物である。図７は、クラウンピーク平面１３２を含み、この平面は、地面平面２００と平行であり、ゴルフクラブヘッド１００が地面平面２００に規則通りのライおよびロフトで設置されたときの、クラウンピーク１２８を通り抜けるものである。クラウンピーク平面１３２は、クラウンピーク１２８と同じ距離ＨＡだけ、地面平面２００の上に位置づけられている。図７は、クラウン切断平面１３４も含み、この平面は、クラウンピーク平面１３２と平行であり、クラウンピーク平面１３２から、地面平面２００へ向かうｙ−軸に沿って距離ＤＣＰだけ下方にずれている。図７に示す実施例において、ＤＣＰは５ｍｍである。クラウン切断平面１３４の上に位置づけられる、クラウン１１２の部分は、上方クラウン部分１３５と定義される。１実施例において、ＤＣＰが５ｍｍのとき、上方クラウン部分１３５の体積は、クラウン切断平面１３４と上方クラウン部分１３５の外側表面１３０とにより定められ、２ｃｍ３より大きく、７ｃｍ３より小さい。他の実施例において、ＤＣＰが５ｍｍのとき、上方クラウン部分１３５の体積は、２ｃｍ３より大きく、６ｃｍ３より小さい。他の実施例において、ＤＣＰが５ｍｍのとき、上方クラウン部分１３５の体積は、２ｃｍ３より大きく、５ｃｍ３より小さい。他の実施例において、ＤＣＰが５ｍｍのとき、上方クラウン部分１３５の体積は、２ｃｍ３より大きく、４ｃｍ３より小さい。他の実施例において、ＤＣＰが５ｍｍのとき、上方クラウン部分１３５の体積は、３ｃｍ３より大きく、７ｃｍ３より小さい。他の実施例において、ＤＣＰが５ｍｍのとき、上方クラウン部分１３５の体積は、４ｃｍ３より大きく、７ｃｍ３より小さい。他の実施例において、ＤＣＰが５ｍｍのとき、上方クラウン部分１３５の体積は、３ｃｍ３より大きく、６ｃｍ３より小さい。他の実施例において、ＤＣＰが５ｍｍのとき、上方クラウン部分１３５の体積は、３ｃｍ３より大きく、５ｃｍ３より小さい。他の実施例において、ＤＣＰが５ｍｍのとき、上方クラウン部分１３５の体積は、３ｃｍ３より大きく、４ｃｍ３より小さい。
【００５５】
いくつかの実施例において、ゴルフクラブヘッド１００は、図１〜図７に示すように、局所的に隆起したクラウンピーク１２８と屈曲部１２４とを含んで良い。これら２つの機構の組合せにより、打撃フェース１０６のスイートスポットのサイズがさらに増大する。屈曲部１２４は、幾何フェース中心の下方の衝突位置におけるボール速度を増加させる世にとりわけ有益であり、他方、特異なクラウン構造は、幾何フェース中心の上方の生得父におけるボール速度を増加させるのにとりわけ有益である。これら２つの機構の組合せにより、これら機構の２つを提供しないゴルフクラブヘッドに対して格別な効果を有するようになる。
【００５６】
図８は、図１〜図３のゴルフクラブヘッドの断面Ｃ−Ｃを示す。断面Ｃ−Ｃは、打撃フェース１０６の少し後方でｘ−軸およびｙ−軸に平行な面に沿ったものである。図８に示すように、打撃フェースは打撃フェース１０６の後方に可変フェース厚さプロフィール１３６を含む。可変フェース厚さプロフィール１３６は、厚い中央部分１３８を含んで良く、これが遷移部分１４０に包囲され、この遷移部分１４０が打撃フェース１０６の薄い周囲部分１４２に包囲され、これは図９および図１０にさらに示される。図９は図１〜図３のゴルフクラブヘッドの断面Ｄ−Ｄを示す。断面Ｄ−Ｄは、ｙ−軸およびｚ−軸に平行な平面で切断されたものであり、この平面は、打撃フェース１０６の可変フェース厚さプロフィール１３６の厚い中央部分１３８を通り抜ける。ゴルフクラブヘッド１００の打撃フェース１０６はゴルフボールと衝突するときにトランポリンのように変形するので、可変フェース厚さプロフィールを設けることにより、打撃フェース１０６の薄い周囲部分１４２が充分に薄くてトランポリン効果を実現でき、他方、可変フェース厚さプロフィール１３６の厚い中央部分１３８が充分に厚くゴルフボールの衝突に関連する応力に耐えることができる。ゴルフクラブヘッドの性能を改善する可変フェース厚さの利用に関するより詳細な開示は、米国特許第７，０２９，４０３号（Ｒｉｃｅ等）に見いだすことができ、その内容は参照してここに組み入れる。
【００５７】
図１０は図９の断面Ｄ−Ｄを示し、これは、その端面が切断した表面を含むけれども、ホーゼル１０４および屈曲部１２４のような内部幾何形状は含まない。ここで説明する特異なクラウン構造を組み込んだゴルフクラブヘッドの性能は、図８〜図１０に示す可変フェース厚さプロフィール１３６から恩恵を受け、とくに、ゴルフクラブヘッド１００が屈曲部１２４を組み込むときにそうである。いくつかの実施例において、可変厚さプロフィール１３６の厚い中央部分１３８をソール１１４に近づけると、クラウン１１２がゴルフクラブヘッド１００の性能を増大できる。いくつかの実施例において、遷移部分１４０をソール１１４に近づけると、クラウン１１２がゴルフクラブヘッド１００の性能を増大できる。
【００５８】
試験を通じて、ここで説明した特異なクラウン構造およびソールにバイアスされた特異な可変フェース厚さプロフィール１３６を含むゴルフクラブヘッド１００は、ここで説明した、ソールにバイアスされた特異な可変フェース厚さプロフィール１３６を伴わない、同一のゴルフクラブヘッドと較べたときに、高中央におけるボール速度を約０．１５％増大させる。さらに、ゴルフクラブヘッド１００が、ここで説明した、特異なクラウン構造を、ソールにバイアスされた特異な可変フェース厚さプロフィールに組み合わせるときに、ドライバは、ここで説明した、特異なクラウン構造、および、ソールにバイアスされた特異な可変フェース厚さプロフィール１３６を伴わない、同一のゴルフクラブヘッドと較べたときに、高中央におけるボール速度を約０．４５％増大させる。
【００５９】
図１０に含まれる距離Ｄ１〜Ｄ４はさらに可変フェース厚さプロフィール１３６を説明する。距離Ｄ１〜Ｄ４は、ｙ−軸およびｚ−軸と平行で可変厚さプロフィール１３６の厚い中央部分１３８を通り抜ける第２の平面と、幾何フェース中心で打撃フェース１０６の正面表面と平行な第３の平面との交線により形成される測定軸に沿って、測定される。厚い中央部分１３８の中心はｘ−軸と平行な軸に沿って測定される、厚い中央部分１３８の最もヒール側の部分および最もトウ側の部分の間の中央点として定義される。距離Ｄ１は、可変フェース厚さプロフィール１３６の上方の上側の薄い周囲部分１４２の高さを表す。距離Ｄ２は、可変フェース厚さプロフィール１３６の下方の下側の薄い周囲部分１４２の高さを表す。距離Ｄ３は、厚い中央部分１３８の上方の上側の薄い周囲部分１４２および上側の遷移部分１４０の高さを表す。距離Ｄ４は、厚い中央部分１３８の下方の下側の薄い周囲部分１４２および下側の遷移部分１４０の高さを表す。薄い周囲部分１４２、遷移部分１４０、および厚い中央部分１３８の端点は、曲率半径、丸み、面取り等によって容易に特定できないであろう。距離Ｄ１〜Ｄ４は、曲率半径、丸み、面取り等の中心から測定されるべきであり、これらは、厚い中央部分１３８、遷移部分１４０、薄い周囲部分１４２、遷移領域１４０等のような、可変厚さプロフィール１３６および打撃フェース１０６の種々の部分の間の結合点を形成する。
【００６０】
１実施例において、Ｄ１のＤ２に対する比は、１．０１より大きい。１実施例において、Ｄ１のＤ２に対する比は、１．０５より大きい。他の実施例において、Ｄ１のＤ２に対する比は、１．１より大きい。他の実施例において、Ｄ１のＤ２に対する比は、１．１５より大きい。他の実施例において、Ｄ１のＤ２に対する比は、１．１より大きく、１．５より小さい。他の実施例において、Ｄ１のＤ２に対する比は、１．１より大きく、１．４より小さい。他の実施例において、Ｄ１のＤ２に対する比は、１．１より大きく、１．３より小さい。他の実施例において、Ｄ１のＤ２に対する比は、１．１より大きく、１．２より小さい。
【００６１】
１実施例において、Ｄ３のＤ４に対する比は、１．０５より大きい。他の実施例において、Ｄ３のＤ４に対する比は、１．１５より大きい他の実施例において、Ｄ３のＤ４に対する比は、１．１より大きく、１．５より小さい。他の実施例において、Ｄ３のＤ４に対する比は、１．１より大きく、１．４より小さい。他の実施例において、Ｄ３のＤ４に対する比は、１．１より大きく、１．３より小さい。他の実施例において、Ｄ３のＤ４に対する比は、１．１より大きく、１．２より小さい。
【００６２】
ここで説明した、特異なクラウン構造、および特異なソールにバイアスされた可変フェース厚さプロフィールはドライバに使用できる。他の実施例において、これらの特徴はフェアウェイまたはハイブリッドにも使用できる。いくつかの実施例において、特異なクラウン構造、および／または、特異なソールにバイアスされた可変フェース厚さプロフィールは、体積が２５０ｃｃより大きなゴルフクラブヘッドに含まれて良い。いくつかの実施例において、特異なクラウン構造、および／または、特異なソールにバイアスされた可変フェース厚さプロフィールは、体積が１３０ｃｃ以上で２５０ｃｃ未満のゴルフクラブヘッドに含まれて良い。いくつかの実施例において、特異なクラウン構造、および／または、特異なソールにバイアスされた可変フェース厚さプロフィールは、体積が１３０ｃｃより小さなゴルフクラブヘッドに含まれて良い。体積は、ウッドクラブのクラブヘッドサイズを測定するための手順、ＵＳＧＡ−ＴＰＸ３００３、改訂版１．０．０、２００３１１月２１日、合衆国ゴルフ協会に従って測定される。
【００６３】
図１１〜図１３は、特異な打撃フェース構造を組み込んだ付加的なゴルフクラブヘッドを示す。図１１は、ゴルフクラブヘッドの斜視図を示す。図１２は、図１１のゴルフクラブヘッド１００の正面図を示す。図１３は、図１１および図１２のゴルフクラブヘッドの断面Ｅ−Ｅを示す。この断面は、ｘ−軸およびｙ−軸に平行でクラウンピーク１２８を通り抜ける平面に沿って切断される。いつつかの実施例において、図１１〜図１３に示されるように、ゴルフクラブヘッド１００は伝統的なクラウンに較べてより大きく局所的に隆起したクラウンピークを具備して良い。さらに、打撃フェース１０６は、拡張されて、上側フェース拡張部１４４を形成して良く、局所的に隆起したクラウンピーク１２８の効果を実現して良い。さらに、ゴルフクラブヘッドは局所的な下側ソールベース１４６を含んで良い。さらに、打撃フェース１０６は、拡張されて、下側フェース拡張部１４８を形成して良く、局所的な下側ソールベース１４６の効果を実現して良い。上側フェース拡張部１４４および下側フェース拡張部１４６に沿う特異なクラウンおよびソール構造により打撃フェースの柔軟性が増加し、衝突後のボール速度を増大させ、スイートスポットのサイズを増大させる。
【００６４】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【００６５】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
【符号の説明】
【００６６】
１００    ゴルフクラブヘッド
１０２    後方本体部分
１０４    ホーゼル
１０６    打撃フェース
１０８    ヒール側
１１０    トウ側
１１２    クラウン
１１４    ソール
１１６    スカート
１１８    遷移領域
１２０    クラウン・フェース遷移領域
１２２    ソース・フェース遷移領域
１２４    屈曲部
１２６    ゴルフクラブヘッド内部
１２８    クラウンピーク
１２９    ウエイトポート
１３０    外側表面
１３２    クラウンピーク平面
１３４    クラウン切断平面
１３５    上方クラウン部分
１３６    可変フェース厚さプロフィール
１３８    中央部分
１４０    遷移部分
１４２    周囲部分
１４４    上側フェース拡張部
１４６    下側ソールベース
１４８    下側フェース拡張部
２００    地面平面
【図１】
2016116842.tif 000011
【図２】
2016116842.tif 000012
【図３】
2016116842.tif 000013
【図４】
2016116842.tif 000014
【図５】
2016116842.tif 000015
【図６】
2016116842.tif 000016
【図７】
2016116842.tif 000017
【図８】
2016116842.tif 000018
【図９】
2016116842.tif 000019
【図１０】
2016116842.tif 000020
【図１１】
2016116842.tif 000021
【図１２】
2016116842.tif 000022
【図１３】
2016116842.tif 000023
【手続補正書】
【提出日】平成28年1月9日(2016.1.9)
【手続補正１】
【補正対象書類名】特許請求の範囲
【補正対象項目名】全文
【補正方法】変更
【補正の内容】
【特許請求の範囲】
【請求項１】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であることを特徴とするメタルウッドゴルフクラブヘッド。
【請求項２】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さいことを特徴とするメタルウッドゴルフクラブヘッド。
【請求項３】
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であり、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さく、
上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きく、
上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合されることを特徴とするメタルウッドゴルフクラブヘッド。
【手続補正２】
【補正対象書類名】明細書
【補正対象項目名】００１０
【補正方法】変更
【補正の内容】
【００１０】
この技術の１つの比制約的な実施例はメタルウッドゴルフクラブを含み、このゴルフクラブは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−軸と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が：上記クラウンピークに位置づけられる点Ａと；上記ｘ−軸に平行な軸に沿って上記点Ａから１０ｍｍだけヒール側に位置づけられる点Ｂと；上記ｘ−軸に平行な軸に沿って上記点Ａから２０ｍｍだけヒール側に位置づけられる点Ｃと；上記ｘ−軸に平行な軸に沿って上記点Ａから１０ｍｍだけトウ側に位置づけられる点Ｄと；上記ｘ−軸に平行な軸に沿って上記点Ａから２０ｍｍだけトウ側に位置づけられる点Ｅとを有し；上記点Ｂと上記点Ｃとの間のスロープの絶対値が０．１１７以上であり、かつ０．３１０以下であり；上記点Ｄと上記点Ｅとの間のスロープの絶対値が０．１００以上であり、かつ０．３９２以下である。
【手続補正３】
【補正対象書類名】明細書
【補正対象項目名】００１８
【補正方法】変更
【補正の内容】
【００１８】
この技術の付加的な非制約的な実施例はメタルウッドゴルフクラブヘッドを含み、このメタルウッドゴルフクラブヘッドは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−軸と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；クラウンピーク平面は上記地面平面と平行であり、上記クラウンピーク平面は上記クラウンピークを通り抜け；クラウン切断平面は上記クラウンピーク平面と平行であり、上記クラウン切断平面は上記クラウンピーク平面から上記ｙ−軸に沿って上記地面平面の方向に５ｍｍ下方にずれており；上側クラウン部分は上記クラウン切断平面の上に位置し、上記クラウン切断平面および上記クラウンの上記外側表面により画定され；上記上側クラウン部分の体積が２ｃｍ３より大きく、７ｃｍ３より小さい。
【手続補正４】
【補正対象書類名】明細書
【補正対象項目名】００２５
【補正方法】変更
【補正の内容】
【００２５】
この技術の付加的な非制約的な実施例はメタルウッドゴルフクラブヘッドを含み、このメタルウッドゴルフクラブヘッドは：打撃フェースと；クラウンおよびソールを有する後方本体部分であって、上記クラウンは上記打撃フェースの上方部分に結合され上記ソールは上記打撃フェースの下方部分に結合される、上記後方本体部分と；上記ゴルフクラブヘッドのヒール側に位置決めされたホーゼルと；上記ヒール側の反対側に位置決めされたトウ側と；座標系であって：上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と；上記ｘ−軸に直角なｙ−軸であって、上記地面平面に直角であり、上記クラウンへ向かって性に方向に伸びる、上記ｙ−軸と；上記ｘ−軸と直角なｚ−軸であって、上記ｙ−軸と直角であり、上記地面平面に平行であり、上記打撃フェースに向かって正の方向に伸びる、上記ｚ−軸とを有する、上記座標軸とを有し；上記ゴルフクラブヘッドはゴルフクラブヘッド内部を有し、上記クラウンは外側表面を有し、上記外側表面は上記ゴルフクラブヘッド内部と反対であり；上記クラウンはクラウンピークを有し、上記クラウンピークは上記ゴルフクラブヘッドを上記規則通りのライおよびロフトで設置したときの上記クラウンの上記外側表面の最も高い点として定義され；上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が：上記クラウンピークに位置づけられる点Ａと；上記ｘ−軸に平行な軸に沿って上記点Ａから１０ｍｍだけヒール側に位置づけられる点Ｂと；上記ｘ−軸に平行な軸に沿って上記点Ａから２０ｍｍだけヒール側に位置づけられる点Ｃと；上記ｘ−軸に平行な軸に沿って上記点Ａから１０ｍｍだけトウ側に位置づけられる点Ｄと；上記ｘ−軸に平行な軸に沿って上記点Ａから２０ｍｍだけトウ側に位置づけられる点Ｅとを有し；上記点Ｂと上記点Ｃとの間のスロープの絶対値が０．１１７以上であり、かつ０．３１０以下であり；上記点Ｄと上記点Ｅとの間のスロープの絶対値が０．１００以上であり、かつ０．３９２以下であり；クラウンピーク平面は上記地面平面と平行であり、上記クラウンピーク平面は上記クラウンピークを通り抜け；クラウン切断平面は上記クラウンピーク平面と平行であり、上記クラウン切断平面は上記クラウンピーク平面から上記ｙ−軸に沿って上記地面平面の方向に５ｍｍ下方にずれており；上側クラウン部分は上記クラウン切断平面の上に位置し、上記クラウン切断平面および上記クラウンの上記外側表面により画定され；上記上側クラウン部分の体積が２ｃｍ３より大きく、７ｃｍ３より小さく；上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きく；上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合される。
【手続補正５】
【補正対象書類名】明細書
【補正対象項目名】００６５
【補正方法】変更
【補正の内容】
【００６５】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
以下、ここで説明した技術的特徴について列挙する。
［技術的特徴１］
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であることを特徴とするメタルウッドゴルフクラブヘッド。
［技術的特徴２］
上記クラウンピークは上記地面平面の６８ｍｍ未満だけ上方に位置づけられ、上記点Ｂと上記点Ｃとの間の上記スロープの上記絶対値は０．１２２以上であり、０．２９３以下であり、上記点Ｄと上記点Ｅとの間の上記スロープの上記絶対値は０．１０５以上であり、０．３７２以下である技術的特徴１記載のゴルフクラブヘッド。
［技術的特徴３］
上記点Ｂと上記点Ｃとの間の上記スロープの上記絶対値は０．１３３以上であり、０．２９３以下であり、上記点Ｄと上記点Ｅとの間の上記スロープの上記絶対値は０．１１４以上であり、０．３７２以下である技術的特徴２記載のゴルフクラブヘッド。
［技術的特徴４］
上記点Ｂと上記点Ｃとの間の上記スロープの上記絶対値は０．１２２以上であり、０．２６１以下であり、上記点Ｄと上記点Ｅとの間の上記スロープの上記絶対値は０．１０５以上であり、０．３３０以下である技術的特徴２記載のゴルフクラブヘッド。
［技術的特徴５］
上記点Ａと上記点Ｂとの間の上記スロープの上記絶対値は０．０２８以上であり，０．１９３以下であり、上記点Ａと上記点Ｄとの間の上記スロープの上記絶対値は０．０４６以上であり，０．１４８以下である技術的特徴１記載のゴルフクラブヘッド。
［技術的特徴６］
上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である技術的特徴１記載のゴルフクラブヘッド。
［技術的特徴７］
上記打撃フェースの内側に可変フェース厚さプロフィールをさらに有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい技術的特徴１記載のゴルフクラブヘッド。
［技術的特徴８］
上記距離Ｄ３の上記距離Ｄ４に対する上記比が１．１より大きく１．５より小さい技術的特徴１記載のゴルフクラブヘッド。
［技術的特徴９］
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さいことを特徴とするメタルウッドゴルフクラブヘッド。
［技術的特徴１０］
上記上側クラウン部分の体積が２ｃｍ３より大きく、７ｃｍ３より小さいことを特徴とするゴルフクラブヘッド。
［技術的特徴１１］
上記上側クラウン部分の体積が３ｃｍ３より大きく、６ｃｍ３より小さい技術的特徴１０記載のゴルフクラブヘッド。
［技術的特徴１２］
上記上側クラウン部分の体積が３ｃｍ３より大きく、５ｃｍ３より小さい技術的特徴１１記載のゴルフクラブヘッド。
［技術的特徴１３］
上記上側クラウン部分の体積が３ｃｍ３より大きく、４ｃｍ３より小さい技術的特徴１２記載のゴルフクラブヘッド。
［技術的特徴１４］
上記打撃フェースの内側に可変フェース厚さプロフィールをさらに有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きい技術的特徴９記載のゴルフクラブヘッド。
［技術的特徴１５］
上記距離Ｄ３の上記距離Ｄ４に対する上記比が１．１より大きく１．５より小さい技術的特徴１４記載のゴルフクラブヘッド。
［技術的特徴１６］
メタルウッドゴルフクラブヘッドにおいて、
打撃フェースと、
クラウンおよびソールを有する後方本体部分であって、上記クラウンは上記打撃フェースの上方部分に結合され上記ソールは上記打撃フェースの下方部分に結合される、上記後方本体部分と、
上記ゴルフクラブヘッドのヒール側に位置決めされたホーゼルと、
上記ヒール側の反対側に位置決めされたトウ側と、
座標系であって、
上記ゴルフクラブヘッドが規則通りのライおよびロフトに従って地面平面に設置されたときに地面平面と平行なｘ−軸であって、上記打撃フェースと実質的に平行であり、上記ゴルフクラブヘッドの上記ヒールへ向かって正の方向に伸びる、上記ｘ−軸と、
上記ｘ−軸に直角なｙ−軸であって、上記地面平面に直角であり、上記クラウンへ向かって性に方向に伸びる、上記ｙ−軸と、
上記ｘ−軸と直角なｚ−軸であって、上記ｙ−軸と直角であり、上記地面平面に平行であり、上記打撃フェースに向かって正の方向に伸びる、上記ｚ−軸とを有する、
上記座標軸とを有し、
上記ゴルフクラブヘッドはゴルフクラブヘッド内部を有し、上記クラウンは外側表面を有し、上記外側表面は上記ゴルフクラブヘッド内部と反対であり、
上記クラウンはクラウンピークを有し、上記クラウンピークは上記ゴルフクラブヘッドを上記規則通りのライおよびロフトで設置したときの上記クラウンの上記外側表面の最も高い点として定義され、
上記クラウンの上記外側表面に位置決めされる複数の点であって、上記ゴルフクラブヘッドを上記規則通りのライおよびロフトで設置したときに上記ｙ−軸および上記ｘ−軸と平行な第１の平面であって、上記クラウンピークを通り抜ける上記第１の平面に沿ってすべて位置づけられる、上記複数の点が、
上記クラウンピークに位置づけられる点Ａと、
上記ｘ−軸に平行な軸に沿って上記点Ａから１０ｍｍだけヒール側に位置づけられる点Ｂと、
上記ｘ−軸に平行な軸に沿って上記点Ａから２０ｍｍだけヒール側に位置づけられる点Ｃと、
上記ｘ−軸に平行な軸に沿って上記点Ａから１０ｍｍだけトウ側に位置づけられる点Ｄと、
上記ｘ−軸に平行な軸に沿って上記点Ａから２０ｍｍだけトウ側に位置づけられる点Ｅとを有し、
上記点Ｂと上記点Ｃとの間のスロープの絶対値が０．１１７以上であり、かつ０．３１０以下であり、
上記点Ｄと上記点Ｅとの間のスロープの絶対値が０．１００以上であり、かつ０．３９２以下であり、
クラウンピーク平面は上記地面平面と平行であり、上記クラウンピーク平面は上記クラウンピークを通り抜け、
クラウン切断平面は上記クラウンピーク平面と平行であり、上記クラウン切断平面は上記クラウンピーク平面から上記ｙ−軸に沿って上記地面平面の方向に５ｍｍ下方にずれており、
上側クラウン部分は上記クラウン切断平面の上に位置し、上記クラウン切断平面および上記クラウンの上記外側表面により画定され、
上記上側クラウン部分の体積が２ｃｍ３より大きく、７ｃｍ３より小さく、
上記打撃フェースの内側に可変フェース厚さプロフィールを有し、上記可変フェース厚さプロフィールは、遷移部分に包囲された厚い中央部分を有し、上記遷移部分は、上記打撃フェースの薄い周囲部分に包囲され、第２の平面は上記ｙ−軸および上記ｚ−軸に平行であり、上記厚い中央部分の中心を通り抜け、第３の平面は上記打撃フェースと幾何フェース中心において平行であり、測定軸が上記第２の平面および上記第３の平面の交線に形成され、距離Ｄ３は、上記薄い周囲部分の頂部と上記厚い中央部分の頂部との間を上記測定軸に沿って測定される距離を表し、距離Ｄ４は、上記薄い周囲部分の底部と上記厚い中央部分の底部との間を上記測定軸に沿って測定される距離を表し、上記距離Ｄ３の上記距離Ｄ４に対する比が１．０５より大きく、
上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合されることを特徴とするメタルウッドゴルフクラブヘッド。
［技術的特徴１７］
上記上側クラウン部分の体積が３ｃｍ３より大きく、５ｃｍ３より小さく、上記ゴルフクラブヘッドのクラウンピーク奥行きが少なくとも２６ｍｍであり、上記クラウンピーク奥行きは上記ゴルフクラブヘッドの最も前方の部分から上記クラウンピークへ上記ｚ−軸と平行な軸に沿って測定されたものである技術的特徴１６記載のゴルフクラブヘッド。
［技術的特徴１８］
上記点Ａと上記点Ｂとの間の上記スロープの上記絶対値は０．０３０以上であり，０．１８３以下であり、上記点Ａと上記点Ｄとの間の上記スロープの上記絶対値は０．０４８以上であり，０．１４０以下である技術的特徴１６記載のゴルフクラブヘッド。
［技術的特徴１９］
上記距離Ｄ３の上記距離Ｄ４に対する上記比が１．１より大きく１．５より小さい技術的特徴１６記載のゴルフクラブヘッド。
［技術的特徴２０］
上記ソールは上記打撃フェースから離間された屈曲部をさらに有し、上記屈曲部は前面壁部、頂部、および背面壁部を有し、上記前面壁部および上記背面壁部の双方は上記ゴルフクラブヘッド内部に伸び、上記前面壁部および上記背面壁部は上記頂部で結合される技術的特徴１６記載のゴルフクラブヘッド。
【外国語明細書】
2016116842.tif 000024
2016116842.tif 000025
2016116842.tif 000026
2016116842.tif 000027
2016116842.tif 000028
2016116842.tif 000029
2016116842.tif 000030
2016116842.tif 000031
2016116842.tif 000032
2016116842.tif 000033
2016116842.tif 000034
2016116842.tif 000035
2016116842.tif 000036
2016116842.tif 000037
2016116842.tif 000038
2016116842.tif 000039
2016116842.tif 000040
2016116842.tif 000041
2016116842.tif 000042
2016116842.tif 000043
2016116842.tif 000044
Ｃｌａｉｍｓ
2016116842.tif 000045
2016116842.tif 000046
2016116842.tif 000047
2016116842.tif 000048
2016116842.tif 000049
2016116842.tif 000050
2016116842.tif 000051
2016116842.tif 000052
１．Ａｂｓｔｒａｃｔ
2016116842.tif 000053
２．Ｒｅｐｒｅｓｅｎｔａｔｉｖｅ  Ｄｒａｗｉｎｇ
Ｆｉｇ．１１
2016116842.tif 000054
2016116842.tif 000055
2016116842.tif 000056
2016116842.tif 000057
2016116842.tif 000058
2016116842.tif 000059
2016116842.tif 000060
2016116842.tif 000061
2016116842.tif 000062
2016116842.tif 000063
2016116842.tif 000064
2016116842.tif 000065
2016116842.tif 000066